(57)【要約】【課題】  ユーザにとって利便性が高く、かつ記憶スペースを効率良く利用することができる「車載用マルチメディア装置」を提供する。【解決手段】  車載用マルチメディア装置は、ＨＤＤに記憶されている「ＡＢＣ曲」、「ＸＹＺ曲」、「１２３曲」の削除の指示があったとき、これらの曲がＣＤ等からリッピングされたものであるか否か、およびＰＣ１００に保存されているか否かを判定する。ＰＣ１００に保存されている「ＸＹＺ曲」は、ＨＤＤから削除される。ＰＣ１００に保存されておらずかつリッピングされたものでない「ＡＢＣ曲」は、ＰＣ１００に移動(MOVE)され、リッピングされた「１２３曲」は、暗号化してＰＣ１００に移動(MOVE)される。【選択図】  図６
2007079630.tif 000002
【特許請求の範囲】
【請求項１】
マルチメディアデータを記憶する記憶部と、
マルチメディアデータを処理するマルチメディア処理部と、
外部装置とデータ通信可能なデータ通信部と、
ユーザからの指示を受け取る入力手段と、
入力手段を介してマルチメディアデータの保存の指示を受けたとき、当該マルチメディアデータのデータソースを判定し、予め定められたデータソースに該当する場合には、データソースを識別するための識別情報を付与してマルチメディアデータを記憶部に保存する保存手段と、
入力手段を介して記憶部からマルチメディアデータの削除の指示を受けたとき、削除すべきマルチメディアデータに識別情報が付与されているか否かを確認する確認手段と、
確認手段の結果に応じて、識別情報が付与されている場合には、削除すべきマルチメディアデータを暗号化し、暗号化されたマルチメディアデータを外部装置に移動する削除手段と、
を有するマルチメディア装置。
【請求項２】
前記確認手段はさらに、入力手段を介して記憶部からマルチメディアデータの削除の指示を受けたとき、削除すべきマルチメディアデータが外部装置に保存されているか否かを確認し、前記削除手段は、確認手段の結果に応じて、削除すべきマルチメディアデータが外部装置に保存されている場合には、削除すべきマルチメディアデータを記憶部から削除し、保存されていない場合には、削除すべきマルチメディアデータを外部装置に移動する、請求項１に記載のマルチメディア装置。
【請求項３】
前記保存手段は、予め定められたデータソースのマルチメディアデータを記憶部にリッピングする、請求項１または２に記載のマルチメディア装置。
【請求項４】
予め定められたデータソースは、マルチメディアデータを記録したディスク状媒体である、請求項１ないし３いずれか１つに記載のマルチメディア装置。
【請求項５】
前記確認手段は、データ通信部を介して、記憶部に記憶されているマルチメディアデータと外部装置に記憶されているデータを比較する同期手段を含む、請求項１ないし４いずれか１つに記載のマルチメディア装置。
【請求項６】
マルチメディアデータは、マルチメディア装置に固有の識別情報を用いて暗号化される、請求項１に記載のマルチメディア装置。
【請求項７】
マルチメディアデータを記憶する記憶部、マルチメディアデータを処理するマルチメディア処理部、外部装置とデータ通信可能なデータ通信部、およびユーザからの指示を受け取る入力手段を備えたマルチメディア装置におけるデータ削除方法であって、
入力手段を介して記憶部からマルチメディアデータの削除の指示があったとき、削除すべきマルチメディアデータが特定のデータソースから入手されたものであるか否かを判定するステップと、
削除すべきマルチメディアデータが特定のデータソースから入手されたものである場合には、削除すべきマルチメディアデータを暗号化して外部装置に移動するステップとを有する、データ削除方法。
【請求項８】
データ削除方法はさらに、削除すべきマルチメディアデータが外部装置に保存されているか否かを判定するステップと、
外部装置に保存されている場合には、当該削除すべきマルチメディアデータを記憶部から削除し、外部装置に保存されていない場合には、削除すべきマルチメディアデータを外部装置に移動するステップとを有する、請求項７に記載のデータ削除方法。
【請求項９】
データ削除方法はさらに、特定のデータソースからのマルチメディアデータを記憶部に保存するとき、当該マルチメディアデータのデータソースを識別するための識別情報をマルチメディアデータに付与して保存するステップを含む、請求項７に記載のデータ管理方法。
【発明の詳細な説明】
【技術分野】
【０００１】
本発明は、オーディオデータやビデオデータを保存し、保存されたオーディオ・ビデオデータを再生する機能等を備えたマルチメディア装置に関し、特に、車載用マルチメディア装置の記憶装置（例えばハードディスク記憶装置）に保存されたデータの削除方法に関する。
【背景技術】
【０００２】
近年、オーディオ機能、ビデオ機能およびナビゲーション機能を備えたマルチメディアタイプの車載用マルチメディア装置が実用化されている。このような電子装置には、大容量のハードディスク記憶装置等が搭載され、ハードディスク記憶装置には、大量のオーディオデータ、ビデオデータ、道路地図データ、および施設データ等が保存されている。
【０００３】
車載用マルチメディア装置へのデータの保存は、例えば次のような態様にて行われる。車載用マルチメディア装置に搭載されているＣＤプレーヤやＤＶＤプレーヤによりディスクに記録されたデータを読取り、これをハードディスク記憶装置にリッピング（保存）したり、データ通信を介してパーソナルコンピュータや携帯端末等の外部装置に記憶されたデータを転送したり、あるいは携帯用メモリを接続し、そこからデータを読み出してコピーしている。
【０００４】
ハードディスク記憶装置は、その容量が大きいが、記憶容量には制限があり、オーディオデータ、ビデオデータやその他のデータの保存を繰り返すと、空き容量が少なくなり、既存のデータの削減もしくは消去を必要とする。
【０００５】
特許文献１は、新たな記憶容量を確保するために既存ファイルを効率的に削除し、新たな画面を効率的に表示することが可能な放送受信表示装置を提供する。これによれば、メモリに記憶されたファイルのうち、優先順位、ファイルのサイズ、ファイルの蓄積時間等の条件に従い削除対象のファイルを特定し、次に、特定されたファイルが画面構成に必要なファイルか否かを判定し、削除が認められたとき、特定されたファイルをメモリから削除している。
【０００６】
【特許文献１】特開２００２−４４５５１号
【発明の開示】
【発明が解決しようとする課題】
【０００７】
ハードディスク記憶装置を備えた車載用マルチメディア装置において、音楽ＣＤ等のメディアに記録された音楽データのリッピングが行われている。リッピングは、メディアに記録されたディジタル形式のオーディオデータを抽出し、これをパーソナルコンピュータ等の電子装置において処理できるようなファイル形式に変換して保存することである。リッピングが繰り返されると、ハードディスク記憶装置の記憶スペースが減少するため、既存のオーディオデータを削除する必要がある。削除以外に、コピーや移動も可能であるが、これらは、ＤＲＭ（Digital Rights Management:ディジタル著作権管理）によって制限されているため、リッピングされたデータの削除を余儀なくされている。
【０００８】
その一方で、ハードディスク記憶装置から、特許文献１のような優先順位によりオーディオデータを削除してしまうと、ユーザの意に反してオーディオデータが削除されてしまうことがある。例えば、削除したオーディオデータの入手先が不明なときや、オーディオデータを再入手することが困難な場合には、ユーザにとって不都合である。
【０００９】
本発明は、上記従来の課題を解決するために成されたものであり、ユーザにとって利便性が高く、かつ記憶スペースを効率良く利用することができるマルチメディア装置を提供することを目的とする。
【課題を解決するための手段】
【００１０】
本発明に係るマルチメディア装置は、マルチメディアデータを記憶する記憶部と、マルチメディアデータを処理するマルチメディア処理部と、外部装置とデータ通信可能なデータ通信部と、ユーザからの指示を受け取る入力手段と、入力手段を介してマルチメディアデータの保存の指示を受けたとき、当該マルチメディアデータのデータソースを判定し、予め定められたデータソースに該当する場合には、データソースを識別するための識別情報を付与してマルチメディアデータを記憶部に保存する保存手段と、入力手段を介して記憶部からマルチメディアデータの削除の指示を受けたとき、削除すべきマルチメディアデータに識別情報が付与されているか否かを確認する確認手段と、確認手段の結果に応じて、識別情報が付与されている場合には、削除すべきマルチメディアデータを暗号化し、暗号化されたマルチメディアデータを外部装置に移動する削除手段とを有する。
【００１１】
好ましくは、確認手段はさらに、入力手段を介して記憶部からマルチメディアデータの削除の指示を受けたとき、削除すべきマルチメディアデータが外部装置に保存されているか否かを確認し、前記削除手段は、確認手段の結果に応じて、削除すべきマルチメディアデータが外部装置に保存されている場合には、削除すべきマルチメディアデータを記憶部から削除し、保存されていない場合には、削除すべきマルチメディアデータを外部装置に移動する。
【００１２】
好ましくは保存手段は、予め定められたデータソースのマルチメディアデータを記憶部にリッピングする。予め定められたデータソースは、マルチメディアデータを記録したディスク状媒体であり、例えばＣＤ、ＤＶＤ、ブルーレイディスク等を含む。
【００１３】
本発明によるマルチメディアデータは、オーディオデータ、ビデオデータ、およびナビゲーション等に必要なデータを含み、特に理由がない限り、限定的に解釈されるものではなく、広く解釈される。また本発明による外部装置は、パーソナルコンピュータ、携帯端末等の電子装置であってマルチメディアデータを記憶可能なものであり、特に理由がない限り、限定的に解釈されるものではなく、広く解釈される。
【００１４】
本発明に係る、マルチメディアデータを記憶する記憶部、マルチメディアデータを処理するマルチメディア処理部、外部装置とデータ通信可能なデータ通信部、およびユーザからの指示を受け取る入力手段とを有するマルチメディア装置におけるデータ管理方法は、記憶部に記憶されているマルチメディアデータの削除の指示があったとき、削除すべきマルチメディアデータが特定のデータソースから入手されたものであるか否かを判定するステップと、削除すべきマルチメディアデータが特定のデータソースから入手されたものである場合には、削除すべきマルチメディアデータを暗号化して外部装置に移動するステップとを有する。
【発明の効果】
【００１５】
本発明によれば、記憶部に保存されているマルチメディアデータを削除するに際して、削除すべきデータが特定のデータソースから入手されたものであるときは、削除すべきデータを暗号化して外部装置に移動させるようにしたので、入手することが困難なデータについては再現する余地を残しつつ、マルチメディア装置の記憶部の効果的な使用をすることができる。さらに、削除すべきデータが外部装置に保存されていない場合には、そのデータを外部装置に移動させるようにしたので、データの入手先等を考えずに、ユーザは気軽にデータを削除することができる。
【発明を実施するための最良の形態】
【００１６】
以下、本発明の最良の実施の形態について図面を参照して詳細に説明する。
【実施例】
【００１７】
図１は、本発明の実施例に係る車載用マルチメディア装置の構成を示すブロック図である。車載用マルチメディア装置１０は、外部装置とデータ通信を行うデータ通信部１２と、ユーザからの指示を入力する操作入力部１４と、外部装置の接続を可能にする外部インターフェース（Ｉ／Ｆ）１６と、オーディオデータやビデオデータ等のデータを記憶するハードディスク記憶装置１８と、オーディオデータを再生するオーディオ再生部２０と、ビデオデータを再生するビデオ再生部２２と、ナビゲーション機能を実行するナビゲーション部２４と、スピーカ２６と、ディスプレイ２８と、各部を制御する制御部３０とを含んで構成される。
【００１８】
マルチメディア装置１０は、データ通信部１２を介して、例えば、無線ＬＡＮまたは有線ＬＡＮ等により、自宅にあるパーソナルコンピュータや他の車載用マルチメディア装置等の外部装置と接続可能であり、そこから、所望のオーディオデータやビデオデータを入手（コピー）し、ハードディスク記憶装置１８に保存することができる。外部インターフェース１６は、ＵＳＢやＩＥＥＥ１３９４等により記憶媒体やその他の装置を接続可能であり、制御部３０は、外部インターフェース１６を介して得られたデータをハードディスク記憶装置１８に記憶することができる。
【００１９】
ハードディスク記憶装置１８に記憶されたデータは、制御部３０によって読み出され、読み出されたデータは、オーディオ再生部２０やビデオ再生部２２により再生され、スピーカ２６やディスプレイ２８から出力される。また、オーディオ再生部２０およびビデオ再生部２２は、回転テーブル上に搭載されたＣＤ、ＤＶＤあるいはブルーレイディスク等に記録されたデータを光学的に読み取り、読み取られたデータを再生する。さらに、制御部３０は、読み取られたデータを圧縮等の処理をし、ハードディスク記憶装置１８にリッピングすることが可能である。リッピングされたデータは、制御部３０により読み出され、オーディオ再生部２０やビデオ再生部２２により再生される。
【００２０】
ナビゲーション部２４は、自車位置から目的地までの経路を探索し、探索された誘導経路をディスプレイ２８の道路地図上に表示し、これに加えて、交差点等の右左折の案内をスピーカ２６から音声により行うことができる。道路地図等のデータは、ハードディスク記憶装置１８に記憶されている。
【００２１】
マルチメディア装置において、いずれの機能が実行されるかは、ユーザによって指示される。ユーザは、操作入力部１４を介して、オーディオ機能、ビデオ機能、またはナビゲーション機能を選択したり、ハードディスク記憶装置１８へのデータの保存やそこからのデータの削除等の指示を与える。
【００２２】
ハードディスク記憶装置１８は、オーディオデータ、ビデオデータ、ナビゲーションデータ等を記憶するために大きな記憶容量を有している。この記憶容量には制限があるため、データが蓄積されてくると残容量が少なくなり、残容量を増加させる必要がある。本実施例では、残容量を増加させるため、一定の条件に従い、データを削除したり、データを外部装置へ移動させる。データの移動（Move）は、記憶元にはデータが残らないので、その意味では削除と同様であるが、移動先にデータが保存される点で削除と異なる。
【００２３】
図２は、車載用マルチメディア装置におけるデータ保存動作を説明するフローチャートである。ユーザから操作入力部１４を介してハードディスク記憶装置１８へのデータの保存の指示がなされると（ステップＳ１０１）、制御部３０は、保存すべきデータのデータソースを判定する（ステップＳ１０２）。例えば、保存すベきデータが、データ通信を介してのパーソナルコンピュータ等の外部装置のハードディスク記憶装置に格納されているものか、あるいは、ＣＤ等のディスク状媒体に記憶されているもの等を判定する。
【００２４】
制御部３０は、データソースによって、ハードディスク記憶装置１８への保存の態様を異にする。つまり、ハードディスク記憶装置以外のメディア（ここでは、説明を容易にするためディスク状媒体とする）に記憶されているデータであれば（ステップＳ１０３）、制御部３０は、そのデータをリッピングして保存するとともにリッピングしたことを示す識別情報を作成し、この識別情報をリッピングしたデータに付与する。（ステップＳ１０４）。一方、ディスク状媒体でなければ、制御部３０は、データをそのままの状態でハードディスク記憶装置１８に保存またはコピーする（ステップＳ１０５）。
【００２５】
図３は、車載用マルチメディア装置におけるデータ削除動作を説明するフローチャートである。ユーザから操作入力部１４を介してハードディスク記憶装置１８からのデータの削除の指示がなされると（ステップＳ２０１）、制御部３０は、データ通信部１２を介して車載用マルチメディア装置と接続可能な外部装置との同期を行う（ステップＳ２０２）。すなわち、制御部３０は、ハードディスク記憶装置１８に記憶されているデータと外部装置のハードディスクに記憶されているデータとを比較し、削除すべきデータが外部装置に保存されているか否かを判定する（ステップＳ２０３）。
【００２６】
制御部３０は、削除すべきデータが外部装置に保存されている場合には、削除すべきデータをハードディスク記憶装置１８から削除する（ステップＳ２０４）。この場合、データを一旦削除した後であっても、外部装置にデータが保存されているのでデータを容易に再入手することができる。
【００２７】
さらに制御部３０は、削除すべきデータが車載用マルチメディア装置でリッピングされたデータか否かを判定する（ステップＳ２０５）。ディスク状媒体からのリッピングされたデータであれば、上記したようにリッピングしたことを示す識別情報が付与されており、この識別情報の有無を判定する。
【００２８】
削除すべきデータがリッピングされたものであるとき、制御部３０は、ハードディスク記憶装置１８から削除すべきデータを暗号化して外部装置へ移動（Move）させる（ステップＳ２０６）。暗号化は、好ましくは車載用マルチメディア装置の固有のＩＤ（識別情報）を用いて暗号化し、当該車載用マルチメディア装置以外の装置によって解読不能とし、違法なコピー（コピーフリー）を防止する。また、リッピングされたデータを再生する場合には、外部装置から暗号化されたデータをマルチメディア装置へ移動し、そこで暗号を解除する。
【００２９】
削除すべきデータが外部装置に保存されておらず、かつリッピングされたものでないとき、制御部３０は、ハードディスク記憶装置１８から削除すべきデータを外部装置へ移動（Move）させる（ステップＳ２０７）。
【００３０】
以上の削除を行うことにより、車載用マルチメディア装置のハードディスク記憶装置１８の残容量を増加させることができ、同時に外部装置にデータのバックアップデータを行うことができる。また、車載用マルチメディア装置でリッピングされたデータは、暗号化されて外部装置へ移動されるため、そこでの解読が不能となり、違法なコピーを事実上防止することができる。さらに、バックアップのないデータの削除であれば、データが外部装置へ移動されるため、気軽にハードディスク記憶装置１８からデータを削除することができる。
【００３１】
このように、再入手が可能なデータは削除され、その一方で、再入手が困難なデータは、外部装置に移動してバックアップを残し、または一時的に退避させるようにしたので、車載用マルチメディア装置のハードディスク記憶装置１８の記憶容量を見かけ上大きくし、記憶スペースを効率良く利用することができる。
【００３２】
次に、車載用マルチメディア装置における具体的なデータの保存・削除の例を説明する。先ず、図４（ａ）に示すように、自宅にあるパーソナルコンピュータ（ＰＣ）１００に格納されている音楽データ「ＡＢＣ曲」、「ＸＹＺ曲」を、車載用マルチメディア装置１０にコピーする。コピーは、無線ＬＡＮによるデータ通信等を介して行われる。データのコピーは、元のデータをそっくり複写するものであり、この点でリッピングと異なる。
【００３３】
また、図４（ｂ）に示すように、車載用マルチメディア装置１０に、ＣＤ１１０から「１２３曲」をリッピングし、ハードディスク記憶装置１８に保存する。このとき、「１２３曲」のデータには、リッピングしたことを示す識別情報１２０が付加される。次に、図４（ｃ）に示すように、ＰＣ１００に格納されている「ＡＢＣ曲」がユーザによって故意に削除されたと仮定する。
【００３４】
次に、ユーザが、車載用マルチメディア装置のハードディスク記憶装置１８から「ＡＢＣ曲」、「ＸＹＺ曲」、「１２３曲」を削除しようとすると、制御部３０は、図５（ａ）に示すように、車載用マルチメディア装置１０とＰＣ１００の同期をとり、ハードディスク記憶装置１８の保存状況を確認し、その確認の結果に応じて、「削除」、「ＰＣへ移動（Move）」、「暗号化してＰＣへ移動（Move）」のいずれかの形態をとる。
【００３５】
同期を行った結果、「ＡＢＣ曲」と「１２３曲」は、ＰＣ１００に保存されておらず、「ＸＹＺ曲」が保存されていることが判明する。さらに制御部３０は、削除すべきデータが車載用マルチメディア装置でリッピングされたものか否かを確認する。その結果、「ＡＢＣ曲」と「ＸＹＺ曲」はリッピングされたデータではなく、「１２３曲」がリッピングされたデータであることが判明する。
【００３６】
削除すべきデータとして指示された「ＡＢＣ曲」、「ＸＹＺ曲」、「１２３曲」と、「削除」、「ＰＣへ移動（Move）」、「暗号化してＰＣへ移動（Move）」との関係をまとめると、図５（ｂ）の表のようになる。制御部３０は、この条件に応じた処理を実行する。
【００３７】
制御部３０は、「１２３曲」について、図６（ａ）に示すように、車載用マルチメディア装置１０において、当該車載用マルチメディア装置の固有ＩＤを用いて暗号化する。次に、図６（ｂ）に示すように、暗号化された「１２３曲」をＰＣ１００に移動する。マルチメディア装置１０には、暗号化された「１２３曲」は残らない。ＰＣ１００では、「１２３曲」の存在は認識できるが、暗号のデコードを行うことができない。「１２３曲」を聴く場合には、図６（ｃ）に示すように、ＰＣ１００から暗号化された「１２３曲」を車載用マルチメディア装置１０へ移動し、そこで暗号を解除する。
【００３８】
「ＡＢＣ曲」は、車載用マルチメディア装置１０からＰＣ１００へそのまま移動され、「ＸＹＺ曲」は、車載用マルチメディア装置１０から削除される。
【００３９】
次に、上記実施例におけるハードディスク記憶装置の残容量増加例を説明する。車載用マルチメディア装置においてリッピングした曲、例えば「１２３曲」が１００曲存在した場合を想定する。
＜前提条件＞
リッピングした曲のビットレートを１２８ｋｂｐｓ、車載用マルチメディア装置のハードディスク記憶装置の容量を１０Ｇｂｙｔｅ、曲数を１００曲、曲の再生時間を一律５分とする。
【００４０】
１曲あたりの容量は、４．６Ｍｂｙｔｅとなる。
１２８ＫＢｉｔ×（５分×６０秒）／(８Ｂｉｔ×１０２４Ｂｙｔｅ)＝４．６ＭＢｙｔｅ。したがって、１００曲では、４６０ＭＢｙｔｅとなる。リッピングした曲がハードディスク記憶装置の容量に占める割合は、
４６０ＭＢｙｔｅ÷１０ＧＢｙｔｅ×１００＝４．６≒５％
【００４１】
＜結果＞
ハードディスク記憶装置の容量のうち、約５％をＰＣのハードディスク記憶装置と同期をとることによって、車載用マルチメディア装置のハードディスク記憶装置の見かけ上の容量が多くなる。
【００４２】
以上、本発明の好ましい実施の形態について詳述したが、本発明に係る特定の実施形態に限定されるものではなく、特許請求の範囲に記載された本発明の要旨の範囲内において、種々の変形・変更が可能である。
【００４３】
上記実施例では、マルチメディア装置として、オーディオ機能、ビデオ機能およびナビゲーション機能を有するものとしたが、これに限定されるものではない。また、マルチメディア装置は、テレビ放送やラジオ放送を受信する機能を有するものであってもよい。さらに上記実施例では、外部装置としてパーソナルコンピュータを例に用いたが、勿論、これ以外にも、マルチメディア装置と同期可能であって、マルチメディアデータを保存できる装置であればよい。さらにマルチメディア装置の記憶手段としてハードディスク記憶装置を例示したが、これに限定されず、半導体メモリや他の記憶装置であってもよい。
【産業上の利用可能性】
【００４４】
本発明に係るマルチメディア装置は、車載用のエンターテイメントシステム、安全運転支援システムとして利用することができる。
【図面の簡単な説明】
【００４５】
【図１】本発明の実施例に係る車載用マルチメディア装置の構成を示すブロック図である。
【図２】車載用マルチメディア装置におけるデータ保存動作を説明するフローチャートである。
【図３】車載用マルチメディア装置におけるデータ削除動作を説明するフローチャートである。
【図４】車載用マルチメディア装置におけるデータの保存例を示す図である。
【図５】車載用マルチメディア装置とＰＣとの同期を説明する図である。
【図６】パーソナルコンピュータからデータが削除された例を示す図である。
【符号の説明】
【００４６】
１０：車載用マルチメディア装置          １２：データ通信部
１４：操作入力部                        １６：外部インターフェース
１８：ハードディスク記憶装置            ２０：オーディオ再生部
２２：ビデオ再生部                      ２４：ナビゲーション部
２６：スピーカ                          ２８：ディスプレイ
３０：制御部                            １００：ＰＣ
【図１】
2007079630.tif 000003
【図２】
2007079630.tif 000004
【図３】
2007079630.tif 000005
【図４】
2007079630.tif 000006
【図５】
2007079630.tif 000007
【図６】
2007079630.tif 000008